【事件の表示】
　特願２０１１−１８８５３５「液体」拒絶査定不服審判事件〔平成２４年　１月１９日出願公開、特開２０１２−１２４０３〕について、次のとおり審決する。
【結　論】
　本件審判の請求は、成り立たない。
【理　由】
第１　手続の経緯
　この出願は、２００５年４月７日（パリ条約による優先権主張外国庁受理２００４年４月７日（ＧＢ）英国）を国際出願日とする特願２００７−５０６８４１号の一部を平成２３年８月３１日に新たな特許出願としたものであって、平成２３年８月３１日に上申書及び手続補正書が提出され、平成２５年７月３日付けで拒絶理由が通知され、同年１２月５日に意見書及び手続補正書が提出され、同年１２月２４日付けで拒絶査定がされ、平成２６年５月７日に拒絶査定不服審判が請求されるとともに手続補正書が提出され、同年５月３０日に審判請求書を補正する手続補正書が提出され、同年１２月１０日に上申書が提出され、その後、平成２７年８月５日付けで、平成２６年５月７日付けの手続補正が却下されるとともに拒絶理由が通知され、平成２８年２月１０日に意見書及び誤訳訂正書が提出されたものである。
　なお、この出願の一部が平成２６年５月７日に特願２０１４−９６２９５号として分割出願されており、その出願の一部が平成２６年１２月２６日に特願２０１４−２６６２７５号として分割出願されている。
　また、上記特願２００７−５０６８４１号からは、平成２４年９月１０日に特願２０１２−１９８８０５号が分割出願されている。
　
第２　特許請求の範囲の記載
　この出願の特許請求の範囲の記載は、平成２８年２月１０日に提出された誤訳訂正書により補正された特許請求の範囲の請求項１〜８に記載されたとおりであり、このうちの請求項１の記載は以下のとおりである。
　「アニオン及びカチオンを含み、１００℃未満の融点を有するイオン性液体の、有機材料、無機材料、又は生物材料を溶解するための溶媒としての使用であって、該カチオンが下式（Ｉ）の窒素含有カチオンであることを特徴とするイオン性液体の使用。
　　Ｎ+ＨＲＲ’Ｒ''　　　（Ｉ）
（Ｒは、アミノ基、及びモノ−もしくはジ−アルキルアミノ基（該アルキルが１〜８個の炭素原子を有する直鎖又は分岐アルキルである）から選択される少なくとも１つの置換基で置換されている、１〜８個の炭素原子を有する直鎖又は分岐アルキルであるヒドロカルビル基であり、
Ｒ’及びＲ''は同じであっても違ってもよく、それぞれＨ又はヒドロカルビル基であって、該ヒドロカルビル基は、アミノ基、及びモノ−もしくはジ−アルキルアミノ基（該アルキルが１〜８個の炭素原子を有する直鎖又は分岐アルキルである）から選択される少なくとも１つの置換基で置換されていてもよい、１〜８個の炭素原子を有する直鎖又は分岐アルキルである。）」
（以下、請求項１に係る発明を「本願発明」という。）
　
第３　当審が通知した拒絶の理由
　当審が通知した拒絶の理由は、理由１〜３からなる。
　その理由１の概要は、この出願は、請求項１〜１４の記載が、特許を受けようとする発明が発明の詳細な説明に記載したものではなく特許法第３６条第６項第１号に適合するものではないから、特許法第３６条第６項に規定する要件を満たしていない、というものである。
　その理由２の概要は、この出願は、発明の詳細な説明が、請求項１〜１４に係る発明に関し、当業者がその実施をすることができる程度に明確かつ十分に記載したものではないから、特許法第３６条第４項第１号に規定する要件を満たしていない、というものである。
　
第４　当審の判断
　当審は、当審が通知した拒絶の理由のとおり、この出願は、請求項１の特許を受けようとする発明が発明の詳細な説明に記載したものであるとはいえず、特許請求の範囲の記載が特許法第３６条第６項第１号に適合するものではないから、特許法第３６条第６項に規定する要件を満たしていないと判断する。また、同じく、この出願は、発明の詳細な説明が、請求項１に係る発明に関し、当業者が発明の実施をすることができる程度に明確かつ十分に記載したものではなく、特許法第３６条第４項第１号に規定する要件を満たしていないと判断する。
　その理由は、以下のとおりである。
　
１　理由１（特許法第３６条第６項第１号）について
　
（１）はじめに
　特許請求の範囲の記載が特許法第３６条第６項第１号に規定する要件（いわゆる「明細書のサポート要件」）に適合するか否かは、特許請求の範囲の記載と発明の詳細な説明の記載とを対比し、特許請求の範囲に記載された発明が、発明の詳細な説明に記載された発明で、発明の詳細な説明の記載又はその示唆により当業者が当該発明の課題を解決できると認識できる範囲のものであるか否か、また、その記載や示唆がなくとも当業者が出願時の技術常識に照らし当該発明の課題を解決できると認識できる範囲のものであるか否かを検討して判断すべきものである。
　
（２）発明の詳細な説明の記載
　
　ア　技術分野、背景技術、発明が解決しようとする課題についての記載
　この出願の明細書（以下「本願明細書」という。補正はされていないが、段落【0063】において「溶媒和現象」が「加溶媒分解現象」と誤訳訂正されている。）の段落【0001】〜【0007】に、以下の記載がある。
　「【0001】本発明はイオン性液体及びその使用に関する。また、本発明はイオン性液体の製造方法を提供する。
　【0002】イオン性液体は、イオンから構成される融点が周囲温度より低い化合物である。それらは、電荷が非局在化し、非対称化したイオンを適当に組み合わせて生成させることが可能である。生じる塩の秩序度を減少させることができて、その得られた塩が周囲温度で液体である点まで融点が低下する。イオン上の電荷の非局在化もまた、生じる塩の融点を決定づける重要な因子である。イオン性液体は、ごくわずかな蒸気圧及び高い溶媒和能力を含む多くの特筆すべき特性を有し、そのことがイオン性液体を多くの用途における従来の溶媒の代替物として興味深いものにしている。
　【0003】イオン性液体は、アニオン及びカチオンから構成されてもよく、その代わりに同一分子上に正電荷及び負電荷の両方を持つ両性イオンからなっていてもよい。最も一般的なイオン性液体はアニオン及びカチオンを含んでいる。
　【0004】先行技術には、例えば４級アンモニウムカチオン、ピロリジニウム（pyrrolidinium）カチオン、イミダゾリウムカチオン、トリアゾリウム（triazolium）カチオン、ピリジニウムカチオン、ピリダジニウム（pyridazinium）カチオン、ピリミジニウム（pyrimidinium）カチオン、ピラジニウム（pyrazinium）カチオン及びトリアジニウム（triazinium）カチオンから選択される核に基づく、４級の窒素又はリン系のカチオンから構成される液体が含まれている。これらの種類のイオン性液体は、非常に粘ちょうで、潜在的に危険であり、ＵＶ及び可視光を強く吸収する傾向がある。その上、これらのイオン性液体の調製には多くの化学工程及びクロマトグラフ工程が含まれ、そのことがこの方法を時間のかかる、高価でかつ効率的ではないものにしている。
　【0005】AndersonらのJ. Am. Chem. Soc. 124: 14247-14254 (2002)には、特定の化学用途に使用される、１級又は３級のアンモニウム系カチオンから構成されるイオン性液体が開示されている。
　【発明の概要】
　【発明が解決しようとする課題】
　【0006】本発明者らは別のイオン性液体を提供する。
　【課題を解決するための手段】
　【0007】本発明によって、アニオン及びカチオンを含み、そのカチオンは荷電した窒素原子を含む１級、２級又は３級のアンモニウムイオンであるイオン性液体が提供される。」
　
　イ　イオン性液体の窒素含有カチオンの化学構造についての上位概念の式（Ｉ）の記載
　段落【0011】に、以下の記載がある。
　「【0011】本発明の別の態様によって、アニオン及びカチオンを含み、そのカチオンが式（Ｉ）の窒素含有カチオンであることを特徴とする、イオン性液体が提供される。
　　Ｎ+ＨＲＲ’Ｒ''　　　（Ｉ）
（Ｒはヒドロカルビル基であって、窒素含有官能基（ニトリル、ニトロもしくはアミノ、又は他の塩基性窒素含有官能基を含む）、チオール、アルキチオ（alkythio）、スルホニル、チオシアネート、イソチオシアネート、アジド、ヒドラジノ、ハロゲン、１つ以上のエーテルもしくはチオエーテル連結基で分断されていてもよいアルキル、アルコキシ、アルケニル、ヒドロキシ、カルボニル（アルデヒド又はケトンを含む）、カルボキシル、ボロネート、シリル及び置換アミノ（例えばモノ−もしくはジ−アルキルアミノ、又はアルキアミド（alkyamide））から選択される１つ以上の置換基で置換されていてもよく、
Ｒ’及びＲ''は同じであっても違ってもよく、それぞれＨ又はＲを表し、あるいは
Ｒ、Ｒ’及びＲ''のうち任意の２つ又は３つがＮと一緒に結合して、環状基を形成してもよい。）」
　
　ウ　式（Ｉ）の窒素含有カチオンのＲである置換されていてもよいヒドロカルビル基におけるヒドロカルビルの種類と炭素数についての一般的な記載
　段落【0015】〜【0016】に、以下の記載がある。
　「【0015】本発明の目的のために、ヒドロカルビルには、アルキル、アルケニル、アルキニル、シクロヒドロカルビル、例えばシクロアルキル、シクロアルケニル、及びこれらの組み合わせを含む部分が含まれるが、これらに限定されない。
　【0016】ここで使用する「アルキル」とは、例えば１〜１２個の炭素原子、例えば１、２、３、４、５、６、７、８個の炭素原子からなる直鎖及び分岐アルキル基の両方に関し、メチル、エチル、ｎ−プロピル、イソプロピル、ｎ−ブチル、sec−ブチル、イソブチル、tert−ブチル、ｎ−ペンチル、ｎ−ヘキシル、ｎ−ヘプチル、ｎ−オクチルが含まれるが、これらに限定されない。また、「アルキル」には、シクロプロピル、シクロブチル、シクロペンチル又はシクロヘキシルを含むシクロアルキル基も包含されるが、これらに限定されない。」
　
　エ　式（Ｉ）の窒素含有カチオンのＲである置換されていてもよいヒドロカルビル基の好ましい置換基についての一般的な記載及び好ましい上記カチオンについての記載
　段落【0040】〜【0048】に、以下の記載がある。
　「【0040】好ましくは、Ｒは、アルケニル、ヒドロキシル、アミノ、チオ、カルボニル及びカルボキシル基からなる群から選択される部分で置換されている。より好ましくは、Ｒはヒドロキシル又はアミノ基で置換されている。
　【0041】Ｒがヒドロキシル基で置換されている種類の化合物においては、本発明は、イオン性液体が塩化ジエタノールアンモニウムではないという条件を含んでもよい。
　【0042】（例えば、アルケニル、ヒドロキシル、アミノ、チオール、カルボニル及びカルボキシル基からなる群から選択される）置換基が１つより多く存在する場合、１つより多い置換基が単一のカチオン上に存在してもよい。
　【0043】ある種類の化合物においては、Ｒは１、２、３、４、５又は６個の炭素原子を有するヒドロキシアルキル基である。ヒドロキシアルキル基はその自由末端炭素上にヒドロキシル部分を有してもよい。Ｒは２〜６個の炭素原子を有するポリオールであってよく、例えばジ−アルカノール、トリ−アルカノール又はテトラ−アルカノール基である。
　【0044】好ましくは、カチオンは、エタノールアンモニウム、Ｎ−(アルコキシエチル)アンモニウム、Ｎ−メチルエタノールアンモニウム、Ｎ,Ｎ−ジメチルエタノールアンモニウム、ジエタノールアンモニウム、Ｎ−アルキルジエタノールアンモニウム（例えばブチルジエタノールアンモニウム）、Ｎ,Ｎ−ジ(アルコキシアルキル)アンモニウム（例えばジ(メトキシエチル)アンモニウム）又はトリエタノールアンモニウムイオンである。
　【0045】より好ましくは、カチオンは、メチルエタノールアンモニウム、Ｎ,Ｎ−ジメチルエタノールアンモニウム、Ｎ,Ｎ−ジ(メトキシエチル)アンモニウム又はブチルジエタノールアンモニウムイオンである。
　【0046】他の種類の化合物においては、Ｒは２〜８個の炭素原子を有するアミノアルキル基であり、例えば２、３、４、５、６、７又は８個の炭素原子を有する。アミノアルキルはジ−又はトリ−アミノアルキル基であってよい。
　【0047】一部の化合物においては、Ｒはプトレシン、ピペリジン又はトロピンである。
　【0048】好ましいカチオンには、エタノールアンモニウム、ジエタノールアンモニウム、Ｎ−ブチルジエタノールアンモニウム、Ｎ−メチルエタノールアンモニウム、ジ(メトキシエチル)アンモニウム、Ｎ,Ｎ−ジメチルエタノールアンモニウム、プトレシニウム（putrescinium）、１−(３−ヒドロキシプロピル)プトレシニウム、又はＮ−(３−ヒドロキシプロピル)−Ｎ−メチルシクロヘキシルアンモニウムイオンが含まれる。さらに好ましくは、カチオンには、Ｎ−ブチルジエタノールアンモニウム、Ｎ−メチルエタノールアンモニウム、ジ(メトキシエチル)アンモニウム、Ｎ,Ｎ−ジメチルエタノールアンモニウム、プトレシニウム、１−(３−ヒドロキシプロピル)プトレシニウム、又はＮ−(３−ヒドロキシプロピル)−Ｎ−メチルシクロヘキシルアンモニウムイオンが含まれる。」
　
　オ　イオン性液体のアニオンについての記載
　段落【0049】〜【0051】に、以下の記載がある。
　「【0049】上の一覧に含まれるカチオンはいずれも、任意の開示されたアニオンと組み合わせてよい。
　【0050】本発明のイオン性液体におけるアニオンの同一性は重要ではない。イオン性液体の融点を所望の温度未満に保つための、アニオンの選択における唯一の理論的制約はそのイオン重量である。
　【0051】好ましくは、アニオンはハロゲン化無機アニオン、硝酸イオン、硫酸イオン、リン酸イオン、炭酸イオン、スルホン酸イオン及びカルボン酸イオンから選択される。スルホン酸イオン及びカルボン酸イオンはアルキルスルホン酸イオン及びアルキルカルボン酸イオンであってよく、その中のアルキル基は例えば１〜２０個の炭素原子を有する部分であって、アルキル、及びアルケニル、アルコキシ、アルケノキシ（alkenoxy）、アリール、アリールアルキル、アリールオキシ、アミノ、アミノアルキル、チオ、チオアルキル、ヒドロキシル、ヒドロキシアルキル、カルボニル、オキソアルキル、カルボキシル、カルボキシアルキルもしくはハロゲン化官能基で任意の位置が置換されたアルキルとから選択され、全ての塩、エーテル、エステル、５価窒素もしくはリンの誘導体、又はそれらの立体異性体を含む。例えばアニオンは、ビス(トリフルオロメチルスルホニル)イミド、炭酸イオン、炭酸水素イオン、硫酸イオン、硫酸水素イオン、ケイ酸イオン、リン酸イオン、リン酸水素イオン、リン酸二水素イオン、メタリン酸イオン、メタンスルホン酸イオン、トリフルオロメタンスルホン酸イオン、エチレンジアミン四酢酸イオン、塩化物イオン、臭化物イオン、ヨウ化物イオン、ヘキサフルオロリン酸イオン、テトラフルオロホウ酸イオン、トリフルオロ酢酸イオン、ペンタフルオロプロパン酸イオン、ヘプタフルオロブタン酸イオン、シュウ酸イオン、ギ酸イオン、酢酸イオン、プロパン酸イオン、ブタン酸イオン、ペンタン酸イオン、ヘキサン酸イオン、ヘプタン酸イオン、オクタン酸イオン、ノナン酸イオン、デカン酸イオン、安息香酸イオン、ベンゼンジカルボン酸イオン、ベンゼントリカルボン酸イオン、ベンゼンテトラカルボン酸イオン、クロロ安息香酸イオン、フルオロ安息香酸イオン、ペンタクロロ安息香酸イオン、ペンタフルオロ安息香酸イオン、サリチル酸イオン、グリコレート、ラクテート、パントテン酸イオン、酒石酸イオン、酒石酸水素イオン、マンデル酸イオン、クロトン酸イオン、リンゴ酸イオン、ピルビン酸イオン、コハク酸イオン、クエン酸イオン、フマル酸イオン、フェニル酢酸イオンから選択してもよい。特別好ましいアニオンは有機カルボン酸イオンである。アニオンに活性プロトンが含まれる必要がある場合、グリコレート、酒石酸イオン及びラクテートのアニオンが好ましい。これらは酸及びヒドロキシル官能基の両方を含んでいる。」
　
　カ　式（Ｉ）の窒素含有カチオン及びアニオンからなるイオン性液体の例示の記載
　段落【0053】に、冒頭のギ酸エタノールアンモニウム、次の酢酸エタノールアンモニウム、・・・と、５７３個の化合物名が、以下の７種の窒素含有カチオンごとに、アニオンを順次変えて、記載されている。
　(i)　１〜８１番目（８１個）は、カチオンがエタノールアンモニウム（審決注：Ｈ3Ｎ+ＣＨ2ＣＨ2ＯＨ）
　(ii) ８２〜１６２番目（８１個）は、カチオンがジエタノールアンモニウム（審決注：Ｈ2Ｎ+(ＣＨ2ＣＨ2ＯＨ)2）
　(iii)１６３〜２４５番目（８３個）は、カチオンがＮ−ブチルジエタノールアンモニウム（審決注：ＨＮ+（Ｃ4Ｈ9）(ＣＨ2ＣＨ2ＯＨ)2）
　(iv) ２４６〜３２７番目（８２個）は、カチオンがＮ,Ｎ−ジメチルエタノールアンモニウム（審決注：ＨＮ+(ＣＨ3)2ＣＨ2ＣＨ2ＯＨ）
　(v)　３２８〜４０９番目（８２個）は、カチオンがＮ−メチルエタノールアンモニウム（審決注：Ｈ2Ｎ+(ＣＨ3)ＣＨ2ＣＨ2ＯＨ）
　(vi) ４１０〜４９２番目（８３個）は、カチオンがＮ,Ｎ−ジ(メトキシエチル)アンモニウム（審決注：Ｈ2Ｎ+(ＣＨ2ＣＨ2ＯＣＨ3)2）
　(vii)４９３〜５７３番目（８１個）は、カチオンが１−(３−ヒドロキシプロピル)プトレシニウム（審決注：Ｈ2Ｎ+(ＣＨ2ＣＨ2ＣＨ2ＯＨ)(ＣＨ2ＣＨ2ＣＨ2ＣＨ2ＮＨ2)）
　例として上記の１〜８３番目、１６３番目のアニオン又はアニオンを与える酸を順次挙げると（・・・アニオンの「アニオン」の表記は一部を除き省略する。）、以下のとおりである；
　ギ酸、酢酸、プロパン酸、プロパン二酸、ブタン酸、ブテン酸、ブタン二酸、ペンタン酸、ペンタン二酸、ペンテン酸、ヘキサン酸、ヘキサン二酸、ヘキセン酸、ヘプタン酸、ヘプタン二酸、ヘプテン酸、オクタン酸、オクタン二酸、オクテン酸、ノナン酸、ノナン二酸、ノネン酸、デカン酸、デカン二酸、デセン酸、ウンデカン酸、ウンデカン二酸、ウンデセン酸、ドデカン酸、ドデカンジカルボン酸、ドデセンカルボン酸、シクロヘキサンカルボン酸、シクロヘキセンカルボン酸、フェノキシド（審決注：フェノール）、安息香酸、ベンゼンジカルボン酸、ベンゼントリカルボン酸、ベンゼンテトラカルボン酸、クロロ安息香酸、フルオロ安息香酸、ペンタクロロ安息香酸、ペンタフルオロ安息香酸、サリチル酸、グリコレート（審決注：グリコール酸）、ラクテート（審決注：乳酸）、パントテン酸、酒石酸、酒石酸水素アニオン、マンデル酸、クロトン酸、リンゴ酸、ピルビン酸、コハク酸、クエン酸、フマル酸、フェニル酢酸、シュウ酸、ビス(トリフルオロメチルスルホニル)イミド、炭酸、炭酸水素イオン、硫酸、硫酸水素イオン、リン酸、リン酸水素イオン、リン酸二水素イオン、メタンスルホン酸、トリフルオロメタンスルホン酸、エチレンジアミン四酢酸、ヘキサフルオロリン酸、テトラフルオロホウ酸、トリフルオロ酢酸、ペンタフルオロプロパン酸、ヘプタフルオロブタン酸、ホスホエノールピルビン酸、ニコチンアミドアデニンジヌクレオチドリン酸、アデノシンリン酸、アデノシン二リン酸、アデノシン三リン酸、オキシニアケート（oxyniacate）（審決注：いかなるものか不明である。）、硝酸、亜硝酸、臭化物イオン（臭化水素）、ヨウ化物イオン（ヨウ化水素）、塩化物イオン（塩化物）。
　
　キ　イオン性液体の製造方法についての一般的な記載
　段落【0055】〜【0057】に、以下の記載がある。
　「【0055】別の態様によれば、本発明は、
　（i）１級、２級又は３級の有機アミンを用意し、及び
　（ii）（i）の化合物を酸で中和する
工程を含む、本発明のイオン性液体の調製方法を提供する。
　【0056】本発明の方法は、
　（i）式（II）の窒素含有化合物を用意し、及び
　　Ｎ+ＨＲＲ’Ｒ''　　　（ＩＩ）
　　（Ｒ、Ｒ’及びＲ''はここに定義した意味を有する）
　（ii）（i）の化合物を酸で中和する
工程を含んでもよい。
　【0057】本発明の方法はただ１つの工程を含み、かつ一般に容易に入手できる出発原料を使用することから、イオン性液体を製造する経済的なルートを提供する。」
　
　ク　式（Ｉ）の窒素含有カチオン及びアニオンからなるイオン性液体の物理的性質及びこれを溶媒として使用することについての一般的な記載
　
　(ア)段落【0012】〜【0014】に、以下の記載がある。
　「【0012】ここでの「イオン性液体」には、イオンからなる化合物であって、かつその化合物が安定な温度で液体であるものが含まれるがこれらに限定されない。そのイオン性液体の融点は、１００℃未満であってよく、例えば２５℃未満、及び必要に応じて２０℃未満であってもよい。イオン性液体の沸点は少なくとも２００℃であってよく、５００℃を超え、あるいはさらに１０００℃を超えてもよい。
　・・・・・・・・・・・・・・・
　【0014】・・・さらに好ましくは、イオン性液体の融点は３０℃以下であり、その粘度は５００センチポイズ（５００mPa・s）未満である。」
　
　(イ)段落【0039】に、以下の記載がある。
　「【0039】高い溶媒和能力を示すことに加えて、本発明のイオン性液体は低粘度であり、毒性がなく、さらに無色である。これらの特徴は、本発明のイオン性液体を様々な用途で有用なものにしている。」
　
　(ウ)段落【0050】に、以下の記載がある。
　「【0050】本発明のイオン性液体におけるアニオンの同一性は重要ではない。イオン性液体の融点を所望の温度未満に保つための、アニオンの選択における唯一の理論的制約はそのイオン重量である。」
　
　(エ)段落【0062】〜【0066】に、以下の記載がある。
　「【0062】さらに本発明は、本発明のイオン性液体において定義されたカチオンを、酵素触媒反応の溶媒中で使用することを提供する。さらに、本発明のイオン性液体を酵素触媒反応の溶媒として使用することも提供される。
　【0063】ある生物学的及び／又は化学的反応にイオン性液体を使用することには、従来の水溶液と比べていくつかの利点がある。イオン性液体は、幅広い範囲の無機、有機、高分子及び生物材料を溶解する能力を有し、しばしば非常に高濃度まで溶解する。イオン性液体の液体範囲は幅広く、高低温両方のプロセスを同一溶媒中で行うことを可能にする。イオン性液体は溶媒和現象を発現せず、多くは短寿命の反応中間体を安定化する。溶媒中でのｐＨ効果はなく、蒸気圧が液体範囲のほとんどにわたって実質的にゼロである。また、イオン性液体の電気及び熱伝導性は優れている一方、非可燃性で、リサイクル可能であって一般に毒性が低い。
　【0064】さらに本発明は、本発明のイオン性液体の、又は本発明のイオン性液体において定義されたカチオンの、有機合成の溶媒、マトリクス支援レーザ脱離／イオン化（ＭＡＬＤＩ）質量分析法におけるマトリクス、溶媒抽出（例えば所望の成分を非混和性液体もしくは固体から除去する）又はガスクロマトグラフィ、触媒反応、液状化、核燃料再処理、燃料電池、電気化学的用途、パーベーパーレイション（pervaporation）、ドラッグ・デリバリー、潤滑、作動液、接着剤、センサー、殺生剤及びクロマトグラフ媒体における使用を提供する。
　【0065】（i）本発明のイオン性液体を含む、液体反応媒体を用意し、
　（ii）その液体反応媒体中に、酵素及びその酵素の基質を供給し、並びに
　（iii）その基質の反応を生じさせる
ことを含む、酵素触媒反応を行う方法がさらに提供される。
　本発明のイオン性液体中で有機合成反応を行うことを含む、１種以上の有機化合物を合成する方法がさらに提供される。
　【0066】本発明のイオン性液体中で有機合成反応を行うことを含む、１種以上の有機化合物を合成する方法がさらに提供される。」
　
　ケ　実施例の記載
　段落【0071】〜【0075】に、以下の記載がある。
　「【0071】材料及び方法について
　１個以上のアンモニア性プロトンを有するアンモニウム系イオン性液体の調製：必要とする化学量論的に当量の親アミン及び相補する酸を、水、メタノール又はエタノールに別々に溶解して同濃度の溶液を得た。同体積のこれら２つの溶液を、反応温度が６０℃を超えないようにするのに十分遅い速度で、攪拌及び冷却しながらフラスコ中で一緒に混合した。中和が完了した後、６０℃を超えない温度で過剰の溶媒を真空除去した。その後、生成物を凍結乾燥し、分析して、乾燥状態で保管した。
　【0072】Ｎ,Ｎ−ジメチルエタノールアンモニウム グリコレートの調製：Ｎ,Ｎ−ジメチルエタノールアミンのアルコール溶液（１００．００mL、濃度２．０００Ｍ）及びグリコール酸のアルコール溶液（１００．００mL、濃度２．０００Ｍ）を、外部から冷却及び攪拌しながら５００mL丸底フラスコ中で徐々に混合した。中和反応が完了した後、冷たいアルコール溶液を濾過し、きれいなフラスコに移し、溶媒をロータリエバポレーターで除去した。反応生成物を液体窒素中で凍結し、真空で凍結乾燥し、徐々に室温まで上昇させて、水分量がカールフィッシャー滴定で１００ppm未満、純度がイオンクロマトグラフィで９９．９％を超える、淡黄色液体を３２．８５ｇ（９９％）の収率で得た。生成物を、元素分析と、赤外分光法、紫外／可視分光法及び核磁気共鳴分光法によって分析し、真空デシケーター中、無水塩化カルシウム上で保管した。
　ＦＴ−ＩＲ（cm-1）：１５９１、１０７６、１３５８、６８７、９９３、１４６８、９０９、１２５５、８８１、１１５４、１１７１、３２４０、２８７０、２４８４、１７４５
　ＵＶ／vis　λmax（nm）：２３４
　ＥNT（Reichardt）：０．９１２
　密度（g・cm-3）：１．１４６
　【0073】Ｎ−ブチルジエタノールアンモニウム ビス(トリフルオロメチルスルホニル)イミドの調製：５００mL丸底フラスコ中のＮ−ブチルジエタノールアミンのアルコール溶液（１００．００mL、濃度２．０００Ｍ）に、ビス(トリフルオロメチルスルホニル)イミド５６．２３２ｇを、激しく攪拌して外部から冷却しながら３０分間にわたって徐々に添加した。反応完了後、溶液を濾過し、溶媒を真空中で除去した。生成物を前述のように乾燥して、水分量がカールフィッシャー滴定で１００ppm未満、純度がイオンクロマトグラフィで９８％を超える、淡黄色液体を８７．２ｇ（９８％）の収率で得た。生成物は、前述のように分析して保管した。
　ＦＴ−ＩＲ（cm-1）：１０５１、１１３２、１１８１、１３４７、７４１、７９１、７６４、８８０、９６０、１４６１、２９６７、３５２３、２９４１、２８８０、３１３８、１６３２
　ＵＶ／vis　λmax（nm）：３０４
　ＥNT（Reichardt）：０．９９４
　密度（g・cm-3）：１．３４３」
　【0074】応用について
　Ｎ,Ｎ−ジメチルエタノールアンモニウム　グリコレート中での酵素触媒反応（アルコール脱水素酵素）：純水分量がカールフィッシャー滴定で１００ppm未満のイオン性液体（６mL）に、メタノール（５０μL）を溶解した。ニコチンアミドアデニンジヌクレオチド（１００mg）を、凍結乾燥したサッカロマイセス・セレビシエ（Saccharomyces cerevisiae）アルコール脱水素酵素（１mg）と一緒に添加した。反応容器を密閉して、反応全体を通して激しく振とうし続けながら、３０℃で２４時間インキュベートした。０、２、４、８、１２及び２４時間の時点でサンプル（１mL）を抽出し、クロモトロープ酸測定（chromotropic acid assay）法により分析した。酵素を含まない標準品に対する評価サンプルの５６０nmでの吸収を測定し、標準曲線と比較することによりホルムアルデヒド濃度と相関を取った。最大で平衡濃度である２０±２mMまでの、ホルムアルデヒドの蓄積が観察された。
　【0075】Ｎ,Ｎ−ジメチルエタノールアンモニウム グリコレートの生分解：Ｎ,Ｎ−ジメチルエタノールアンモニウム グリコレート（５mM）を、廃棄土壌から集めた土壌微生物の混合した群生を選択的に富化するための唯一の窒素及び炭素源として使用した。個々の微生物を混合した培養物から単離し、リン酸バッファー水溶液中の様々な濃度のイオン性液体を代謝する能力について選別した。実験は、エルレンマイヤーフラスコ中、３０℃、１１０rpmで振とうしながら行った。分解はイオンクロマトグラフィを用いてモニターした。５mMのイオン性液体は４８時間以内に容易に分解され（除去率は９８％超）、最終的な窒素代謝物はアンモニアであった。」
　
（３）本願発明の課題について
　上記（２）アによれば、この出願の優先日当時、イオン性液体が知られており、従来の溶媒の代替物としての興味も持たれていたが、従来技術のイオン性液体は、ピロリジニウムカチオン、イミダゾリウムカチオン、トリアゾリウムカチオン、ピリジニウムカチオン、ピリダジニウムカチオン、ピリミジニウムカチオン、ピラジニウムカチオン及びトリアジニウムカチオンのような４級の窒素又はリン系のカチオンを有するイオン性液体であり、非常に粘ちょうで、潜在的に危険で、ＵＶ及び可視光を強く吸収する傾向があり、その上、これらのイオン性液体の調製には多くの化学工程及びクロマトグラフ工程が含まれ時間がかかり高価で効率的でないという問題があった。そこで、この出願の発明は、別のイオン性液体を提供する、というものである。
　したがって、本願発明の課題は、従来技術のイオン性液体とは別のイオン性液体の、従来の溶媒の代替物としての使用を提供することであると認められる。
　
（４）発明の詳細な説明に記載された発明と特許請求の範囲の請求項１に記載された発明との対比・判断
　
　ア　本願発明は、上記第２に示したとおり、
　「アニオン及びカチオンを含み、１００℃未満の融点を有するイオン性液体の、有機材料、無機材料、又は生物材料を溶解するための溶媒としての使用であって、該カチオンが下式（Ｉ）の窒素含有カチオンであることを特徴とするイオン性液体の使用。
　　Ｎ+ＨＲＲ’Ｒ''　　　（Ｉ）
（Ｒは、アミノ基、及びモノ−もしくはジ−アルキルアミノ基（該アルキルが１〜８個の炭素原子を有する直鎖又は分岐アルキルである）から選択される少なくとも１つの置換基で置換されている、１〜８個の炭素原子を有する直鎖又は分岐アルキルであるヒドロカルビル基であり、
Ｒ’及びＲ''は同じであっても違ってもよく、それぞれＨ又はヒドロカルビル基であって、該ヒドロカルビル基は、アミノ基、及びモノ−もしくはジ−アルキルアミノ基（該アルキルが１〜８個の炭素原子を有する直鎖又は分岐アルキルである）から選択される少なくとも１つの置換基で置換されていてもよい、１〜８個の炭素原子を有する直鎖又は分岐アルキルである。）」
と特定されている。
　溶媒として用いるそのイオン性液体は、要するに、式（Ｉ）の第一級、第二級又は第三級アンモニウムカチオンである窒素含有カチオンと、アニオンからなる、融点が１００℃未満の塩であって、その窒素含有カチオンは、
　第一級アンモニウムカチオンであるときは、窒素原子に、３個の水素原子と、１個のＣ1−8 アルキル基であってアミノ基、アルキルアミノ基（そのアルキル基はＣ1−8）又はジアルキルアミノ基（同左）で置換された上記アルキル基を有するものであり、
　第二級アンモニウムカチオンであるときは、窒素原子に、２個の水素原子と、２個又は１個の上記置換アルキル基と、その数に応じて０個又は１個の非置換Ｃ1−8 アルキル基を有するものであり、
　第三級アンモニウムカチオンであるときは、窒素原子に、１個の水素原子と、３個、２個又は１個の上記置換アルキル基と、その数に応じて０個、１個又は２個の上記非置換アルキル基を有するものである。
　そして、溶媒とは、溶質となる物質（固体、液体又は気体）を溶かして溶液とする媒体となる物質のことであるところ、どのような液体でも、何れの物質とも全く混じり合わず溶液を形成しないということはない一方、ある物質が溶解するか否かや溶解する場合にどの程度溶解するかは物質の相互作用の結果なのであるから、発明の詳細な説明に、ある物質の溶媒としての使用に関する発明が記載されているというためには、漠然と、有機材料、無機材料、又は生物材料の何れかを溶解できる、とするだけでは足りず、具体的に、どのような物質（溶質）をどの程度に溶解できるのかが示されているか、物質の溶解性の指標となる物性が示されているか、示されていなくても技術常識に照らして当業者がこの点を理解できるといえる必要がある。このように考えなければ、ある物質の溶媒としての使用を提供する発明と、液体であるその物質を提供する発明とが、実際上同じものということになり、不合理である。
　以下、上記の観点で、この出願の特許請求の範囲の記載が明細書のサポート要件に適合するか否かについて検討する。
　
　イ　そこで、本願明細書の発明の詳細な説明を参照すると、上記（２）ケに示したように、実施例にＮ,Ｎ−ジメチルエタノールアンモニウム グリコレート中でのアルコール脱水素酵素によるメタノールの脱水素反応を行ったことは記載されているが、Ｎ,Ｎ−ジメチルエタノールアンモニウム グリコレートは本願発明におけるイオン性液体ではなく、本願発明におけるイオン性液体を、有機材料、無機材料、又は生物材料を溶解するための溶媒として使用した具体例は、記載されていない。
　また、発明の詳細な説明には、本願発明におけるイオン性液体の上位概念に係るイオン性液体について（上記（２）イ〜カ）、上記（２）クに示したように、「高い溶媒和能力を示す」、「幅広い範囲の無機、有機、高分子及び生物材料を溶解する能力を有し、しばしば非常に高濃度まで溶解する」、「本発明のイオン性液体を酵素触媒反応の溶媒として使用する」等、記載されているが、一般的な記載にとどまり、具体的に、どの化学構造のイオン性液体が、どのような物質（溶質）をどの程度に溶解できるのかは明らかでなく、高い溶媒和能力又は溶解能力の指標となる物性が示されているのでもない。このように、どのような物質（溶質）をどの程度に溶解できるのかを知る手掛かりとなる記載がない。
　しかも、上記（２）イ〜カのイオン性液体についての記載も、イオン性液体の化学構造について、本願発明で用いるのよりも上位概念の式（Ｉ）の窒素含有カチオンのＲ、Ｒ’及びＲ''について、ヒドロカルビル基がとり得る置換基の選択肢を多く示し（上記イ）、ヒドロカルビル基におけるヒドロカルビルはアルキルで炭素数が８まででよいこと（上記ウ）、そのＲの置換アルキル基の置換基が窒素含有官能基であるＲの例にはアミノアルキル基、ジアミノアルキル基、トリアミノアルキル基、プトレシニウム（審決注：Ｈ3Ｎ+ＣＨ2ＣＨ2ＣＨ2ＣＨ2ＮＨ2 なのでＲとしては４−アミノブチル基になる。）があること（上記エ）、アニオンの種類がイオン性液体の融点に影響すること（上記オ）を記載し、具体的な化合物名を７種の窒素含有カチオンに約８０のアニオンを組み合わせて都合５７３個記載しているが（上記カ）、何れも、窒素含有カチオンの化学構造が本願発明で用いるイオン性液体とは異なり、融点も全く不明である。また、イオン性液体の製法に関する記載も、有機アミンを酸で中和するというだけのもので（上記（２）キ）、何ら具体的でない。
　そうすると、本願発明は、発明の詳細な説明に記載された発明で、発明の詳細な説明の記載により当業者が当該発明の課題を解決できると認識できる範囲のものであるとはいえない。
　
　ウ　次に、当業者が出願時の技術常識に照らし本願発明の課題を解決できると認識できる範囲のものであるか否かを検討する。
　上記イに示したように、上記（２）ケに示した実施例は、本願発明におけるイオン性液体ではないＮ,Ｎ−ジメチルエタノールアンモニウム グリコレートでの、アルコール脱水素酵素によるメタノールの脱水素反応を行った例であるが、このイオン性液体についてすら、この実施例以外のどのような物質（溶質）をどの程度に溶解できるのかを、当業者が理解できるということはできず、このイオン性液体を有機材料、無機材料、又は生物材料のを溶解するための溶媒として使用することが、本願出願時の当業者の技術常識であったとはいえない。
　本願発明におけるイオン性液体は、上記（２）ケに示した実施例のＮ,Ｎ−ジメチルエタノールアンモニウム グリコレートとは異なる物質であるが、上記（２）イ〜カを参照すれば、上記Ｎ,Ｎ−ジメチルエタノールアンモニウム グリコレートにおける２−ヒドロキシエチル基の代わりに２−アミノエチル基又は４−アミノブチル基を有する化合物等が想定され、上記Ｎ,Ｎ−ジメチルエタノールアンモニウム グリコレートと類似する性質を有するといえる余地はある。しかし、その場合でも、上述のように、実施例のＮ,Ｎ−ジメチルエタノールアンモニウム グリコレートですら、有機材料、無機材料、又は生物材料のを溶解するための溶媒として使用することが、本願出願時の当業者の技術常識であったとはいえないので、本願発明におけるイオン性液体を有機材料、無機材料、又は生物材料のを溶解するための溶媒として使用することが、本願出願時の当業者の技術常識であったとはいえない。
　まして、本願発明におけるイオン性液体は、特許請求の範囲に記載された式（Ｉ）においてＲで示された置換アルキル基の置換基が特定の窒素含有官能基である窒素含有カチオンを有するイオン性液体であって、上記の２−アミノエチル基又は４−アミノブチル基を有する化合物に限定されず、上記アでみたとおり、その窒素含有カチオンは、Ｃ1−8 アルキル基であってアミノ基、アルキルアミノ基（そのアルキル基はＣ1−8）又はジアルキルアミノ基（同左）で置換された上記アルキル基を少なくとも１個有する第一級、第二級又は第三級アンモニウムカチオンである（他のアルキル基が存在するときは非置換Ｃ1−8 アルキル基）という、広範な化学構造の窒素含有カチオンを有するイオン性液体なのである。また、どのアニオンを組み合わせて融点１００℃未満とすることができるかの指針もない。それらについてはなおさら、そのイオン性液体を有機材料、無機材料、又は生物材料のを溶解するための溶媒として使用することが、本願出願時の当業者の技術常識であったとはいえない。
　そうすると、本願発明は、発明の詳細な説明の記載や示唆がなくとも当業者が出願時の技術常識に照らし当該発明の課題を解決できると認識できる範囲のものであるとはいえない。
　
　エ　したがって、請求項１の特許を受けようとする発明（本願発明）は、発明の詳細な説明に記載された発明で、発明の詳細な説明の記載により当業者が本願発明の課題を解決できると認識できる範囲のものであるとは認められず、また、その記載や示唆がなくとも当業者が出願時の技術常識に照らし本願発明の課題を解決できると認識できる範囲のものであるとも認められない。
　
　オ　なお、請求人は、平成２８年２月１０日に提出した意見書において、
　「本願発明における、上記のように狭いグループに限定されたアミノ基、及びモノ−もしくはジ−アルキルアミノ基から選択される置換基で置換された１〜８個の炭素原子を有する直鎖又は分岐アルキル基を有する式（Ｉ）の窒素含有カチオンとアニオンを含み、１００℃未満の融点を有するイオン性液体は、それぞれの化学構造、及びそのカチオン部分の置換基の類似性から、それらは同様の物理的特性及び化学的特性を有する、無機、有機及び生物材料を溶解するための溶媒として使用できる、単一の化合物群を構成し得ると、当業者には理解されます。」
と主張し、参考資料１の表を提出して、１７種の窒素含有カチオンに基づく１２４個の化合物及び従来技術の１−ブチル−３−メチルイミダゾリウム ヘキサフルオロホスフェートについて、２５℃の粘度及び密度、Kalmet-Taftパラメーターのα及びβを示し、特に番号が１１６〜１２１の６個の化合物について、
　『「１１６」〜「１２１」の系の粘度（２５℃）が３〜６mPa・sの極めて低い範囲にあることが示されています。低粘度は、上記の如く本願発明において無機、有機及び生物材料の溶解の際にイオン性液体を特に良好な溶媒にする重要な特性です。また・・・水素結合供与体と水素結合受容体の各々の性質の尺度である「α」と「β」で示されるKamlet-Taft パラメータが・・・「α」と「β」が共に１に近いか１より大きいことが示されています。このことは、「１１６」〜「１２１」の系が強い水素結合供与体及び水素結合受容体の性質、即ち高い溶媒和能力を呈することを示します。かかる溶媒和能力も、上記の如く本願発明において無機、有機及び生物材料の溶解の際にイオン性液体を特に良好な溶媒にする重要な特性です。結果として、「１１６」〜「１２１」の系のイオン性液体は、無機、有機及び生物材料の溶解に非常に有効であることが明らかです。』
と主張している（なお、他の１６種の窒素含有カチオンに基づく１１８個の化合物は、本願発明におけるアミノ基、アルキルアミノ基又はジアルキルアミノ基で置換されたアルキル基を有しておらず、本願発明におけるイオン液体ではない。）。この６個の化合物については、従来技術の１−ブチル−３−メチルイミダゾリウム ヘキサフルオロホスフェートと比べて、粘度が低く、上記α及びβが１に近く所定の溶媒和能力を持つことは、理解できる。
　しかし、上記１１６〜１２１の化合物は、窒素含有カチオンがＮ,Ｎ−ジメチル−Ｎ−(Ｎ’,Ｎ’−ジメチルアミノエチル)アンモニウム（審決注：ＨＮ+（ＣＨ3）2ＣＨ2ＣＨ2Ｎ(ＣＨ3)2）であり、アニオンが順次、酢酸イオン、プロパン酸イオン、ブタン酸イオン、ヘキサン酸イオン、ヘプタン酸イオン、オクタン酸イオンというものである。本願発明におけるイオン性液体のごく一部のものというに過ぎない。
　出願時に、発明を十分に開示せずに、後になってデータを開示して明細書の記載要件の不備を補うことは、本来、許されないし、仮に、この参考資料１を参酌できるとした場合でも、上記のごく一部の化合物についてのデータがあるだけでは、本願発明が、発明の詳細な説明に記載された発明で、発明の詳細な説明の記載により当業者が当該発明の課題を解決できると認識できる範囲のものであるとはいえないし、発明の詳細な説明の記載や示唆がなくとも当業者が出願時の技術常識に照らし当該発明の課題を解決できると認識できる範囲のものであるとはいえない。
　よって、請求人の主張は採用できない。
　
（５）まとめ
　以上のとおり、本願発明は、特許を受けようとする発明が発明の詳細な説明に記載したものであるとはいえず、特許請求の範囲の記載が特許法第３６条第６項第１号に適合するものではなく、この出願は、特許法第３６条第６項に規定する要件を満たしていない。
　
２　理由２（特許法３６条４項１号）について
　
（１）はじめに
　方法の発明における発明の「実施」とは、その方法の使用をする行為をいう（特許法２条２項３号）から、特許法３６条４項１号の「その実施をすることができる」（実施可能要件）とは、その方法を使用できることである。したがって、方法の発明については、明細書の記載又はその示唆及び出願当時の技術常識に基づき、当業者がその方法を使用できるのであれば、上記の実施可能要件を満たすということができる。
　
（２）発明の詳細な説明の記載
　上記１（２）に記載したとおりである。
　
（３）判断
　上記１（３）に記載したとおり、本願発明の課題は、従来技術のイオン性液体とは別のイオン性液体の、従来の溶媒の代替物としての使用を提供することであると認められ、本願発明は、使用するイオン性液体も、それを溶媒として使用する方法も、新規なものとして出願されたものである。
　そして、本願発明は、上記１において検討したとおり、発明の詳細な説明に記載された発明で、発明の詳細な説明の記載により当業者が本願発明の課題を解決できると認識できる範囲のものであるとは認められず、また、その記載や示唆がなくとも当業者が出願時の技術常識に照らし本願発明の課題を解決できると認識できる範囲のものであるとも認められない。
　そうすると、発明の詳細な説明の記載又は示唆及び出願時の技術常識に基づき、当業者が、請求項１に記載された特定の化学構造及び融点を有するイオン性液体を用意して、これを溶媒として使用する方法を実施できる、とはいえず、したがって、発明の詳細な説明が、本件発明に関し、当業者が発明の実施をすることができる程度に明確かつ十分に記載したものであるとはいえない。
　
（４）まとめ
　以上のとおり、発明の詳細な説明が、本件発明に関し、当業者が発明の実施をすることができる程度に明確かつ十分に記載したものではなく、この出願は、特許法第３６条第４項第１号に規定する要件を満たしていない。
　
第５　むすび
　したがって、この出願は、特許請求の範囲の記載が特許法第３６条第６項第１号に適合するものではないから、特許法第３６条第６項に規定する要件を満たしておらず、発明の詳細な説明が、特許法第３６条第４項第１号に規定する要件を満たしておらず、その余について検討するまでもなく、拒絶すべきものである。
　よって結論のとおり審決する。